(57)【要約】【課題】本発明は、低速走行時において駆動エネルギー源の消費に関する情報を自動的に通知することが可能な表示制御装置、表示制御方法、および表示制御システムを提供することを目的とする。【解決手段】本発明による表示制御装置１は、自車の駆動エネルギー源の消費に関する情報を取得するエネルギー消費情報取得部２と、自車の速度情報を取得する速度情報取得部３と、速度情報取得部３にて取得された速度情報に基づく自車の速度に応じて、エネルギー消費情報取得部２にて取得された駆動エネルギー源の消費に関する情報を表示するように制御する制御部４とを備え、制御部４は、自車の速度が第１の速度以下であり、かつ予め定められた時間継続した場合において、駆動エネルギー源の消費に関する情報を表示するように制御することを特徴とする。【選択図】図１
2015190823.tif 000002
【特許請求の範囲】
【請求項１】
自車の駆動エネルギー源の消費に関する情報を取得するエネルギー消費情報取得部と、
前記自車の速度情報を取得する速度情報取得部と、
前記速度情報取得部にて取得された前記速度情報に基づく前記自車の速度に応じて、前記エネルギー消費情報取得部にて取得された前記駆動エネルギー源の消費に関する情報を表示するように制御する制御部と、
を備え、
前記制御部は、前記自車の速度が第１の速度以下であり、かつ予め定められた時間継続した場合において、前記駆動エネルギー源の消費に関する情報を表示するように制御することを特徴とする、表示制御装置。
【請求項２】
前記制御部は、予め定められた時間における前記自車の速度の平均が前記第１の速度以下である場合において、前記駆動エネルギー源の消費に関する情報を表示するように制御することを特徴とする、請求項１に記載の表示制御装置。
【請求項３】
前記自車の位置情報を取得する位置情報取得部と、
地図情報を取得する地図情報取得部と、
をさらに備え、
前記制御部は、前記位置情報取得部にて取得された前記位置情報と、前記地図情報取得部にて取得された前記地図情報とに基づいて、地図上における前記自車の位置に対応する箇所に前記駆動エネルギー源の消費に関する情報を表示するように制御することを特徴とする、請求項１または２に記載の表示制御装置。
【請求項４】
前記駆動エネルギー源の消費に関する情報は、前記自車の航続可能距離、燃費、電費、回生電力、および前記燃費または前記電費の善し悪しを示す情報の少なくとも１つを含むことを特徴とする、請求項１から３のいずれか１項に記載の表示制御装置。
【請求項５】
前記制御部は、前記自車の速度が前記第１の速度よりも速い第２の速度以上である場合において、警告を示す警告情報を表示するように制御することを特徴とする、請求項１から４のいずれか１項に記載の表示制御装置。
【請求項６】
前記警告情報は、前記第２の速度以上であることを示す情報を含むことを特徴とする、請求項５に記載の表示制御装置。
【請求項７】
（ａ）自車の駆動エネルギー源の消費に関する情報を取得する工程と、
（ｂ）前記自車の速度情報を取得する工程と、
（ｃ）前記工程（ｂ）にて取得された前記速度情報に基づく前記自車の速度に応じて、前記工程（ａ）にて取得された前記駆動エネルギー源の消費に関する情報を表示するように制御する工程と、
を備え、
前記工程（ｃ）は、前記自車の速度が第１の速度以下であり、かつ予め定められた時間継続した場合において、前記駆動エネルギー源の消費に関する情報を表示するように制御することを特徴とする、表示制御方法。
【請求項８】
表示装置と、当該表示装置に情報を表示するように制御する表示制御装置とを備える表示制御システムであって、
前記表示制御装置は、
自車の駆動エネルギー源の消費に関する情報を取得するエネルギー消費情報取得部と、
前記自車の速度情報を取得する速度情報取得部と、
前記速度情報取得部にて取得された前記速度情報に基づく前記自車の速度に応じて、前記エネルギー消費情報取得部にて取得された前記駆動エネルギー源の消費に関する情報を表示するように制御する制御部と、
を備え、
前記制御部は、前記自車の速度が第１の速度以下であり、かつ予め定められた時間継続した場合において、前記駆動エネルギー源の消費に関する情報を表示するように制御することを特徴とする、表示制御システム。
【発明の詳細な説明】
【技術分野】
【０００１】
本発明は、情報の表示制御を行う表示制御装置、表示制御方法、および表示制御システムに関する。
【背景技術】
【０００２】
ハイブリッド車（HEV：Hybrid Electric Vehicle）は、所定の速度以上ではガソリンを利用して走行し、所定の速度以下（低速走行）ではバッテリーに蓄積された電力を利用して走行することによって、燃費を抑制している。
【０００３】
しかし、ハイブリッド車は、交通量が多い道路あるいは渋滞中の道路など低速走行が継続するような場合は、バッテリーに蓄積された電力を消費し続ける。従って、低速走行時において、駆動エネルギー源の消費に関する情報（例えば、電費あるいは航続可能距離など）を運転者などに通知することが有益である。
【０００４】
一方、ガソリンを利用して走行する車（以下、ガソリン車という）は、低速走行時ではエンジンの回転数が多く燃費が悪い。また、渋滞時など低速走行時に速度変化を繰り返すと、さらに燃費が悪くなる。従って、低速走行時において、駆動エネルギー源の消費に関する情報（例えば、燃費あるいは航続可能距離など）を運転者などに通知することが有益である。
【０００５】
従来、運転者に車両情報を通知する技術として、車両が停止している場合には車両情報（センタからの車両のメンテナンスに関する情報、あるいは自車内の各センサからの情報から検出した異常通知など）を通知し、車両が停止していない（走行中）状態で緊急度が高いと判断された場合には、車両を停車させるように誘導して車両を停車させた後に車両情報を運転者に通知する技術が開示されている（例えば、特許文献１参照）。
【先行技術文献】
【特許文献】
【０００６】
【特許文献１】特開２００７−１０５２８号公報
【発明の概要】
【発明が解決しようとする課題】
【０００７】
特許文献１では、車両が停車したときに車両情報を通知しているが、低速走行時において駆動エネルギー源の消費に関する情報を通知することについて開示されていない。
【０００８】
一方、駆動エネルギー源の消費に関する情報は、ユーザが手動で入力操作などを行うことによって確認することができるが、走行中の操作は運転に影響を及ぼす可能性があるため望ましくない。
【０００９】
本発明は、このような問題を解決するためになされたものであり、低速走行時において駆動エネルギー源の消費に関する情報を自動的に通知することが可能な表示制御装置、表示制御方法、および表示制御システムを提供することを目的とする。
【課題を解決するための手段】
【００１０】
上記の課題を解決するために、本発明による表示制御装置は、自車の駆動エネルギー源の消費に関する情報を取得するエネルギー消費情報取得部と、自車の速度情報を取得する速度情報取得部と、速度情報取得部にて取得された速度情報に基づく自車の速度に応じて、エネルギー消費情報取得部にて取得された駆動エネルギー源の消費に関する情報を表示するように制御する制御部とを備え、制御部は、自車の速度が第１の速度以下であり、かつ予め定められた時間継続した場合において、駆動エネルギー源の消費に関する情報を表示するように制御することを特徴とする。
【００１１】
また、本発明による表示制御方法は、（ａ）自車の駆動エネルギー源の消費に関する情報を取得する工程と、（ｂ）自車の速度情報を取得する工程と、（ｃ）工程（ｂ）にて取得された速度情報に基づく自車の速度に応じて、工程（ａ）にて取得された駆動エネルギー源の消費に関する情報を表示するように制御する工程とを備え、工程（ｃ）は、自車の速度が第１の速度以下であり、かつ予め定められた時間継続した場合において、駆動エネルギー源の消費に関する情報を表示するように制御することを特徴とする。
【００１２】
また、本発明による表示制御システムは、表示装置と、当該表示装置に情報を表示するように制御する表示制御装置とを備える表示制御システムであって、表示制御装置は、自車の駆動エネルギー源の消費に関する情報を取得するエネルギー消費情報取得部と、自車の速度情報を取得する速度情報取得部と、速度情報取得部にて取得された速度情報に基づく自車の速度に応じて、エネルギー消費情報取得部にて取得された駆動エネルギー源の消費に関する情報を表示するように制御する制御部とを備え、制御部は、自車の速度が第１の速度以下であり、かつ予め定められた時間継続した場合において、駆動エネルギー源の消費に関する情報を表示するように制御することを特徴とする。
【発明の効果】
【００１３】
本発明によると、表示制御装置は、自車の駆動エネルギー源の消費に関する情報を取得するエネルギー消費情報取得部と、自車の速度情報を取得する速度情報取得部と、速度情報取得部にて取得された速度情報に基づく自車の速度に応じて、エネルギー消費情報取得部にて取得された駆動エネルギー源の消費に関する情報を表示するように制御する制御部とを備え、制御部は、自車の速度が第１の速度以下であり、かつ予め定められた時間継続した場合において、駆動エネルギー源の消費に関する情報を表示するように制御するため、低速走行時において駆動エネルギー源の消費に関する情報を自動的に通知することが可能となる。
【００１４】
また、表示制御方法は、（ａ）自車の駆動エネルギー源の消費に関する情報を取得する工程と、（ｂ）自車の速度情報を取得する工程と、（ｃ）工程（ｂ）にて取得された速度情報に基づく自車の速度に応じて、工程（ａ）にて取得された駆動エネルギー源の消費に関する情報を表示するように制御する工程とを備え、工程（ｃ）は、自車の速度が第１の速度以下であり、かつ予め定められた時間継続した場合において、駆動エネルギー源の消費に関する情報を表示するように制御するため、低速走行時において駆動エネルギー源の消費に関する情報を自動的に通知することが可能となる。
【００１５】
また、表示制御システムは、表示装置と、当該表示装置に情報を表示するように制御する表示制御装置とを備える表示制御システムであって、表示制御装置は、自車の駆動エネルギー源の消費に関する情報を取得するエネルギー消費情報取得部と、自車の速度情報を取得する速度情報取得部と、速度情報取得部にて取得された速度情報に基づく自車の速度に応じて、エネルギー消費情報取得部にて取得された駆動エネルギー源の消費に関する情報を表示するように制御する制御部とを備え、制御部は、自車の速度が第１の速度以下であり、かつ予め定められた時間継続した場合において、駆動エネルギー源の消費に関する情報を表示するように制御するため、低速走行時において駆動エネルギー源の消費に関する情報を自動的に通知することが可能となる。
【図面の簡単な説明】
【００１６】
【図１】本発明の実施の形態１による表示制御装置の構成の一例を示すブロック図である。
【図２】本発明の実施の形態１による表示制御装置の構成の他の一例を示すブロック図である。
【図３】本発明の実施の形態１による表示制御装置の動作の一例を示すフローチャートである。
【図４】本発明の実施の形態１による自車速度と情報表示との関係を説明するための図である。
【図５】本発明の実施の形態１による表示制御装置の表示の一例を示す図である。
【図６】本発明の実施の形態１による表示制御装置の表示の一例を示す図である。
【図７】本発明の実施の形態１による表示制御装置の表示の一例を示す図である。
【図８】本発明の実施の形態２による表示制御装置の動作の一例を示すフローチャートである。
【図９】本発明の実施の形態２による表示制御装置の動作の他の一例を示すフローチャートである。
【図１０】本発明の実施の形態による表示制御システムの構成の一例を示すブロック図である。
【発明を実施するための形態】
【００１７】
本発明の実施の形態について、図面に基づいて以下に説明する。
【００１８】
＜実施の形態１＞
まず、本発明の実施の形態１による表示制御装置の構成について説明する。
【００１９】
図１は、本実施の形態１による表示制御装置１の構成の一例を示すブロック図である。なお、図１では、表示制御装置１を構成する必要最小限の構成要素を示している。
【００２０】
図１に示すように、表示制御装置１は、少なくともエネルギー消費情報取得部２と、速度情報取得部３と、制御部４とを備えている。
【００２１】
エネルギー消費情報取得部２は、自車の駆動エネルギー源の消費に関する情報を取得する。
【００２２】
ここで、駆動エネルギー源の消費に関する情報は、例えば、自車の航続可能距離、燃費、電費、回生電力、および燃費または電費の善し悪しを示す情報（エコ情報）を含んでいる。
【００２３】
航続可能距離は、ハイブリッド車である場合はバッテリーに蓄積された電力で走行可能な距離のことをいい、ガソリン車である場合は現在保有しているガソリン量で走行可能な距離のことをいう。なお、電費および回生電力に関する情報は、ハイブリッド車に特有の情報である。
【００２４】
速度情報取得部３は、自車の速度情報を取得する。
【００２５】
制御部４は、速度情報取得部３にて取得された速度情報に基づく自車の速度に応じて、エネルギー消費情報取得部２にて取得された駆動エネルギー源の消費に関する情報を表示するように制御する。特に、制御部４は、自車の速度が予め定められた速度（第１の速度）以下であり、かつ予め定められた時間継続した場合において、駆動エネルギー源の消費に関する情報を表示するように制御する。
【００２６】
次に、上記のエネルギー消費情報取得部２、速度情報取得部３、および制御部４を含む表示制御装置１の他の構成について説明する。
【００２７】
なお、本実施の形態において、自車は、少なくとも表示制御装置１が表示制御の対象としている表示部を備えているものとする。すなわち、表示制御装置１は、自車内に搭載されていてもよく、自車外に設けられていてもよい。
【００２８】
図２は、本実施の形態による表示制御装置１の構成の他の一例を示すブロック図である。
【００２９】
図２に示すように、表示制御装置１は、エネルギー消費情報取得部２と、速度情報取得部３と、制御部４と、位置情報取得部５と、地図情報取得部６と、ナビゲーション部７と、車両情報取得部８と、ＧＰＳ（Global Positioning System）受信部９とを備えている。また、制御部４は、表示部１０と入力部１１とに接続されている。
【００３０】
エネルギー消費情報取得部２は、車両情報取得部８にて取得された車両情報に含まれる自車の駆動エネルギー源の消費に関する情報を取得する。
【００３１】
速度情報取得部３は、車両情報取得部８にて取得された車両情報に含まれる自車の速度情報を取得する。
【００３２】
位置情報取得部５は、自車の現在の位置情報（現在位置）を取得する。具体的には、ＧＰＳ受信部９にて受信された自車の位置情報を、車両情報取得部８にて取得された車両情報に含まれる自車の速度および走行方向（例えば、方位）に関する情報などに基づいて補正することによって、自車の正確な現在位置を取得する。
【００３３】
車両情報取得部８は、車内ＬＡＮ（Local Area Network）を介して、自車の駆動エネルギー源の消費に関する情報を含む種々の車両情報を取得する。
【００３４】
ここで、車両情報としては、例えば、速度情報、走行方向に関する情報、エンジンの回転数に関する情報、燃料に関する情報（例えば、ガソリンの残量）、バッテリーの残量に関する情報、燃費に関する情報、電費に関する情報、回生電力に関する情報などが挙げられる。例えば、速度情報は車速センサから取得され、走行方向に関する情報はジャイロセンサから取得される。なお、バッテリーの残量、電費、および回生電力に関する情報は、ハイブリッド車に特有の情報である。
【００３５】
ＧＰＳ受信部９は、ＧＰＳ衛星からＧＰＳ信号を受信し、受信したＧＰＳ信号に基づいて自車の現在位置（例えば、緯度および経度の座標）を検出する。
【００３６】
地図情報取得部６は、例えば、ハードディスク（HDD：Hard Disk Drive）あるいは半導体メモリなどの記憶装置から構成されており、地図情報を取得して格納している。
【００３７】
なお、地図情報取得部６は、外部から地図情報を取得してもよい。例えば、地図情報取得部６は、地図情報を、外部のサーバなどから通信ネットワークを介してダウンロードすることによって取得してもよい。あるいは、メモリなどの記憶媒体から読み出すことによって取得してもよい。すなわち、地図情報取得部６は、地図情報を取得する機能を有している。
【００３８】
ナビゲーション部７は、ユーザ（例えば、運転者）が入力部１１を介して運転開始前に設定した目的地と、位置情報取得部５にて取得された自車の現在位置とに基づいて、現在地から目的地までの経路を探索する。このとき、ナビゲーション部７は、地図情報取得部６にて取得された地図情報を用いて経路を探索してもよい。
【００３９】
制御部４は、上述の機能を有する他に、位置情報取得部５にて取得された位置情報と、地図情報取得部６にて取得された地図情報とに基づいて、地図上における自車の位置に対応する箇所に駆動エネルギー源の消費に関する情報を表示するように制御する。
【００４０】
速度判断部４１は、自車の速度が予め定められた速度以下であるか否かの判断を行う。
【００４１】
表示部１０は、駆動エネルギー源の消費に関する情報あるいは地図情報など、種々の情報を表示する。なお、表示部１０は、表示制御装置１と一体であってもよく、別個であってもよい。
【００４２】
入力部１１は、ユーザによる入力操作を受け付ける。ここで、入力部１１としては、例えば、タッチパネル、ハードキー、音声入力（例えば、マイク）などが挙げられる。
【００４３】
次に、表示制御装置１の動作について説明する。
【００４４】
図３は、表示制御装置１の動作の一例を示すフローチャートである。
【００４５】
ステップＳ１１において、速度情報取得部３は、車両情報取得部８を介して自車の速度情報を取得する。
【００４６】
ステップＳ１２において、速度判断部４１は、ステップＳ１１にて取得された自車の速度が予め定められた速度である第１の速度以下であるか否かを判断する。自車の速度が第１の速度以下である場合は、ステップＳ１３に移行する。一方、自車の速度が第１の速度以下でない場合は、処理を終了する。
【００４７】
ここで、第１の速度としては、例えば３０ｋｍ／ｈであってもよく、任意の速度であってもよい。
【００４８】
ステップＳ１３において、制御部４は、自車の速度が第１の速度以下の状態で一定時間が経過したか否かを判断する。第１の速度以下の状態で一定時間経過した場合は、ステップＳ１４に移行する。一方、第１の速度以下の状態で一定時間経過していない場合は、処理を終了する。
【００４９】
ここで、一定時間としては、例えば１分間であってもよく、任意の時間であってもよい。
【００５０】
ステップＳ１４において、制御部４は、駆動エネルギー源の消費に関する情報を表示するように制御する。表示部１０は、駆動エネルギー源の消費に関する情報を表示する。
【００５１】
なお、上記の図３に示す動作は、一定周期（例えば、５秒）ごとに自動的に繰り返される。
【００５２】
表示部１０に表示される駆動エネルギー源の消費に関する情報は、エンジンを切るごとにリセット（初期化）してもよく、停車してから一定時間経過後にリセットするようにしてもよい。
【００５３】
図４は、自車の速度と、駆動エネルギー源の消費に関する情報の表示との関係を示す図である。図４において、横軸は時間（ｓ）、縦軸は自車速度（ｋｍ／ｈ）を示している。
【００５４】
図４に示すように、自車速度がＶ（第１の速度）以下の状態で一定時間（Ｔ１からＴ２までの時間）が経過すると、自車速度がＶよりも速くなるまでの間（Ｔ２からＴ３までの時間）、表示部１０には駆動エネルギー源の消費に関する情報が表示される。
【００５５】
次に、表示部１０における表示について説明する。
【００５６】
図５〜７は、表示部１０における表示の一例を示す図である。なお、図５〜７において、表示部１０は地図を表示しており、地図上には自車を示す自車位置マーク１２が表示されているものとする。また、自車は、ナビゲーション部７によって探索された経路を目的地に向かって走行中の状態であってもよく、経路の探索が行われていない状態であってもよい。
【００５７】
図５に示すように、自車の速度が第１の速度以下でない場合（図３のステップＳ１２にて「ＮＯ」と判断された場合）、あるいは第１の速度以下の状態が一定時間継続しなかった場合（図３のステップＳ１３にて「ＮＯ」と判断された場合）において、表示部１０には、駆動エネルギー源の消費に関する情報が表示されない。
【００５８】
図６に示すように、自車の速度が第１の速度以下の状態で一定時間が経過した場合（図３のステップＳ１３にて「ＹＥＳ」と判断された場合）において、表示部１０には、駆動エネルギー源の消費に関する情報として電費（１８ｋｍ／ｋＷｈ）および航続可能距離（１２０ｋｍ）がテロップ１３として表示される。
【００５９】
図６において、電費は、１ｋＷｈ当りの走行可能距離を示している。
【００６０】
また、航続可能距離は、現在の電費を維持した場合における、現在バッテリーに蓄積されている電力で走行可能な航続可能距離を示している。
【００６１】
自車の速度が第１の速度以下の状態で一定時間が経過した場合（図６参照）の他の例として、図７に示すように、表示部１０には、駆動エネルギー源の消費に関する情報としてエコ情報および回生電力（１５０ｋＷ）をテロップ１３として表示するようにしてもよい。
【００６２】
図７において、エコ情報は５段階のスコアで示されている。なお、エコ情報は、電費に基づくものであってもよい。
【００６３】
また、回生電力は、バッテリーに蓄積された電力量のうちの、エンジンを始動させたときから現在までに得られた回生電力の総量を示している。
【００６４】
図６，７において、テロップ１３は、自車位置マーク１２付近に表示されている。すなわち、制御部４は、位置情報取得部５にて取得された位置情報と、地図情報取得部６にて取得された地図情報とに基づいて、地図上における自車の位置に対応する箇所に駆動エネルギーの消費に関する情報を表示するように制御している。しかし、この場合、ユーザはテロップ１３によって隠された地図画面を確認することができない。
【００６５】
このような問題の対策として、テロップ１３が表示されている場合において、自車位置マーク１２を押下（選択）することによって、テロップ１３の表示あるいは非表示を切り替え可能としてもよい。当該切り替えを可能とすることによって、テロップ１３が地図を隠している場合であっても、テロップ１３を非表示にすれば地図を確認することができる。また、自車位置マーク１２を押下可能なボタンとして利用することによって、新たなＵＩ（User Interface）を画面上に設ける必要がない。
【００６６】
以上のことから、本実施の形態１によれば、低速走行時において駆動エネルギー源の消費に関する情報を自動的に通知（注意喚起）することが可能となる。通知を受けたユーザは、手動で入力操作することなく駆動エネルギー源の消費に関する情報を確認することができ、必要に応じて適切な対処（例えば、バッテリーの充電あるいは燃料の補給など）を行うことができる。また、ユーザに対して電費あるいは燃費の向上を促す効果も得られる。
【００６７】
＜実施の形態２＞
本発明の実施の形態２では、表示部１０に警告情報を表示することを特徴とする。本実施の形態２による表示制御装置１の構成は、実施の形態１（図２参照）と同様であるため、ここでは説明を省略する。また、自車は、ハイブリッド車あるいはガソリン車のいずれであってもよい。
【００６８】
図８は、表示制御装置１の動作の一例を示すフローチャートである。
【００６９】
ステップＳ２１において、速度情報取得部３は、車両情報取得部８を介して自車の速度情報を取得する。
【００７０】
ステップＳ２２において、速度判断部４１は、ステップＳ２１にて取得された自車の速度が予め定められた速度である第１の速度以下であるか否かを判断する。自車の速度が第１の速度以下である場合は、ステップＳ２３に移行する。一方、自車の速度が第１の速度以下でない場合は、ステップＳ２５に移行する。
【００７１】
ここで、第１の速度としては、例えば３０ｋｍ／ｈであってもよく、任意の速度であってもよい。
【００７２】
ステップＳ２３において、制御部４は、自車の速度が第１の速度以下の状態で一定時間が経過したか否かを判断する。第１の速度以下の状態で一定時間経過した場合は、ステップＳ２４に移行する。一方、第１の速度以下の状態で一定時間経過していない場合は、処理を終了する。
【００７３】
ここで、一定時間としては、例えば１分間であってもよく、任意の時間であってもよい。
【００７４】
ステップＳ２４において、制御部４は、駆動エネルギー源の消費に関する情報を表示するように制御する。表示部１０は、駆動エネルギー源の消費に関する情報を表示する。
【００７５】
ステップＳ２５において、速度判断部４１は、ステップＳ２１にて取得された自車の速度が第１の速度よりも速い第２の速度以上であるか否かを判断する。自車の速度が第２の速度以上である場合は、ステップＳ２６に移行する。一方、自車の速度が第２の速度以上でない場合は、処理を終了する。
【００７６】
ここで、第２の速度としては、例えば７０ｋｍ／ｈであってもよく、任意の速度であってもよい。
【００７７】
ステップＳ２６において、制御部４は、警告を示す警告情報を表示するように制御する。表示部１０は、警告情報を表示する。表示方法としては、例えば、図６，７に示すようなテロップ１３で表示するようにしてもよい。
【００７８】
ここで、警告情報は、自車の速度が第２の速度以上であることを示す情報を含む。
【００７９】
なお、上記の図８に示す動作は、一定周期（例えば、５秒）ごとに自動的に繰り返される。
【００８０】
表示部１０に表示される駆動エネルギー源の消費に関する情報は、エンジンを切るごとにリセットしてもよく、停車してから一定時間経過後にリセットするようにしてもよい。
【００８１】
上記の図８に示す動作を行うことによって、自車の速度が予め定められた速度以上である場合において、当該速度以上であることをユーザに通知（注意喚起）することができる。
【００８２】
図９は、表示制御装置１の動作の他の一例を示すフローチャートである。なお、図９では、ナビゲーション部７によって現在地（自車の現在位置）から目的地までの経路が探索されていることを前提としている。
【００８３】
ステップＳ３１において、速度情報取得部３は、車両情報取得部８を介して自車の速度情報を取得する。
【００８４】
ステップＳ３２において、速度判断部４１は、ステップＳ３１にて取得された自車の速度が予め定められた速度である第１の速度以下であるか否かを判断する。自車の速度が第１の速度以下である場合は、ステップＳ３３に移行する。一方、自車の速度が第１の速度以下でない場合は、ステップＳ３５に移行する。
【００８５】
ここで、第１の速度としては、例えば３０ｋｍ／ｈであってもよく、任意の速度であってもよい。
【００８６】
ステップＳ３３において、制御部４は、自車の速度が第１の速度以下の状態で一定時間が経過したか否かを判断する。第１の速度以下の状態で一定時間経過した場合は、ステップＳ３４に移行する。一方、第１の速度以下の状態で一定時間経過していない場合は、処理を終了する。
【００８７】
ここで、一定時間としては、例えば１分間であってもよく、任意の時間であってもよい。
【００８８】
ステップＳ３４において、制御部４は、駆動エネルギー源の消費に関する情報を表示するように制御する。表示部１０は、駆動エネルギー源の消費に関する情報を表示する。
【００８９】
ステップＳ３５において、制御部４は、エネルギー消費情報取得部２にて取得された航続可能距離と、ナビゲーション部７にて探索された経路の現在地から目的地までの距離とを比較し、航続可能距離が現在地から目的地までの距離を下回るか否かを判断する。航続可能距離が現在地から目的地までの距離を下回る場合は、ステップＳ３６に移行する。一方、航続可能距離が現在地から目的地までの距離を下回らない場合は、処理を終了する。
【００９０】
ステップＳ３６において、制御部４は、警告情報を表示するように制御する。表示部１０は、警告情報を表示する。表示方法としては、例えば、図６，７に示すようなテロップ１３で表示するようにしてもよい。
【００９１】
ここで、警告情報は、バッテリーの充電、あるいは燃料の補給を促す内容の情報を含む。
【００９２】
なお、上記の図９に示す動作は、一定周期（例えば、５秒）ごとに自動的に繰り返される。
【００９３】
表示部１０に表示される駆動エネルギー源の消費に関する情報は、エンジンを切るごとにリセットしてもよく、停車してから一定時間経過後にリセットするようにしてもよい。
【００９４】
上記の図９に示す動作を行うことによって、航続可能距離が現在地から目的地までの距離を下回る場合において、バッテリーの充電あるいは燃料の補給が必要であることをユーザに通知（注意喚起）することができる。
【００９５】
以上のことから、本実施の形態２によれば、実施の形態１による効果に加えて、警告情報を自動的に通知（注意喚起）することが可能となる。通知を受けたユーザは、手動で入力操作することなく警告情報の内容を確認することができ、必要に応じて適切な対処（例えば、バッテリーの充電あるいは燃料の補給など）を行うことができる。
【００９６】
以上で説明した表示制御装置は、車載用ナビゲーション装置、すなわちカーナビゲーション装置だけでなく、車両に搭載可能なＰＮＤ（Portable Navigation Device）および携帯通信端末（例えば、携帯電話、スマートフォン、およびタブレット端末など）、並びにサーバなどを適宜に組み合わせてシステムとして構築されるナビゲーション装置にも適用することができる。この場合、表示制御装置の各機能あるいは各構成要素は、上記システムを構築する各機能に分散して配置される。
【００９７】
具体的には、表示制御装置の機能を携帯通信端末、ＰＮＤ、あるいはサーバに配置することができる。例えば、図１０に示すように、自車側に表示装置１４を配置し、サーバ側に表示装置１４に情報を表示するように制御する表示制御装置１を配置することによって表示制御システムを構築することができる。サーバ側に配置される表示制御装置１は、少なくともエネルギー消費情報取得部２と、速度情報取得部３と、制御部４とを備えている。なお、エネルギー消費情報取得部２、速度情報取得部３、および制御部４の機能は、図１のエネルギー消費情報取得部２、速度情報取得部３、および制御部４の機能と同様である。また、サーバは、必要に応じて図２に示すような各構成要素を備えるようにしてもよい。
【００９８】
上記の構成とした場合であっても、上記の実施の形態と同様の効果が得られる。
【００９９】
また、上記の実施の形態における動作を実行するソフトウェア（表示制御方法）を、例えばサーバに組み込んでもよい。
【０１００】
具体的には、上記の表示制御方法は、（ａ）自車の駆動エネルギー源の消費に関する情報を取得する工程と、（ｂ）自車の速度情報を取得する工程と、（ｃ）工程（ｂ）にて取得された速度情報に基づく自車の速度に応じて、工程（ａ）にて取得された駆動エネルギー源の消費に関する情報を表示するように制御する工程とを備え、工程（ｃ）は、自車の速度が第１の速度以下であり、かつ予め定められた時間継続した場合において、駆動エネルギー源の消費に関する情報を表示するように制御する。
【０１０１】
上記より、上記の実施の形態における動作を実行するソフトウェアをサーバに組み込んで動作させることによって、上記の実施の形態と同様の効果が得られる。
【０１０２】
なお、図１，２，１０において、エネルギー消費情報取得部２、速度情報取得部３、制御部４、速度判断部４１、位置情報取得部５、ナビゲーション部７、車両情報取得部８、およびＧＰＳ受信部９の各々は、ソフトウェアに基づくＣＰＵ（Central Processing Unit）を用いたプログラム処理を実行することによって実現される。また、可能であれば、エネルギー消費情報取得部２、速度情報取得部３、制御部４、速度判断部４１、位置情報取得部５、ナビゲーション部７、車両情報取得部８、およびＧＰＳ受信部９の各々を、ハードウェア（例えば、電気信号に対して特定の演算あるいは処理を行うように構成された演算／処理回路等）として構成するようにしてもよい。また、上記の両者を混在させてもよい。
【０１０３】
図３のステップＳ１２、図８のステップＳ２２、および図９のステップＳ３２において、速度判断部４１は、自車の速度が第１の速度以下であるか否かを判断しているが、これに限られるものではない。例えば、速度判断部４１は、予め定められた時間における自車の速度の平均が第１の速度以下であるか否かを判断するようにしてもよい。ここで、自車の速度の平均は、移動平均であってもよい。
【０１０４】
実施の形態１では、自車位置マーク１２を押下（選択）することによって、テロップ１３の表示あるいは非表示を切り替える場合について説明したが、これに限るものではない。例えば、テロップ１３を押下（選択）することによって、テロップ１３の表示あるいは非表示を切り替えるようにしてもよい。
【０１０５】
図６では、自車がハイブリッド車である場合における、電費と、現在バッテリーに蓄積されている電力で走行可能な航続可能距離とを表示する例について示したが、ガソリンの燃費と、ガソリンの残量で走行可能な航続可能距離とを表示するようにしてもよい。
【０１０６】
図６，７では、自車がハイブリッド車である場合における表示の一例について説明したが、ガソリン車の場合であっても同様に駆動エネルギー源の消費に関する情報（例えば、燃費、航続可能距離など）を表示すればよい。
【０１０７】
なお、本発明は、その発明の範囲内において、各実施の形態を自由に組み合わせたり、各実施の形態を適宜、変形、省略することが可能である。
【符号の説明】
【０１０８】
１  表示制御装置、２  エネルギー消費情報取得部、３  速度情報取得部、４  制御部、５  位置情報取得部、６  地図情報取得部、７  ナビゲーション部、８  車両情報取得部、９  ＧＰＳ受信部、１０  表示部、１１  入力部、１２  自車位置マーク、１３  テロップ、１４  表示装置、４１  速度判断部。
【図１】
2015190823.tif 000003
【図２】
2015190823.tif 000004
【図３】
2015190823.tif 000005
【図４】
2015190823.tif 000006
【図５】
2015190823.tif 000007
【図６】
2015190823.tif 000008
【図７】
2015190823.tif 000009
【図８】
2015190823.tif 000010
【図９】
2015190823.tif 000011
【図１０】
2015190823.tif 000012